(57)【要約】      （修正有）【課題】橋梁の側端の地覆に引っ掛けられて係止された吊持梁の下部から外側方に張り出した支持梁同士の間で足場板を支えるようにして、橋梁の側端の外側面に足場を簡単に且つ短時間で取り付けることができ、しかも、取り付けた足場板が作業時に揺動することもない橋梁用足場取付け部材を提供する。【解決手段】橋梁１０の側端に橋梁１０の長さ方向に形成された地覆１１の上面に引っ掛けられて係止する係止横梁２と、係止横梁２の一端部側に連結され地覆の内側面に引っ掛けられて係止する係止縦梁３と、係止横梁２の他端部側から地覆１１の外側面に吊り下げられる吊梁４と、吊梁４の下部側から橋梁１０の外側方に向けて張り出されて足場板５ｄを支える足場板支え梁５とを少なくとも備えた。【選択図】図１
0003181041.tif 000002
【実用新案登録請求の範囲】
【請求項１】
橋梁の側端に橋梁の長さ方向に形成された地覆の上面に引っ掛けられて係止する係止横梁と、係止横梁の一端部側に連結され地覆の内側面に引っ掛けられて係止する係止縦梁と、係止横梁の他端部側から地覆の外側面に吊り下げられる吊梁と、吊梁の下部側から橋梁の外側方に向けて張り出されて足場板を支える足場板支え梁とを少なくとも備えたことを特徴とする橋梁用足場取付け部材。
【請求項２】
係止縦梁は係止横梁の一端部側に高さ方向に調整自在に連結されている請求項１記載の橋梁用足場取付け部材。
【請求項３】
吊梁の上部側は係止横梁の他端部側に地覆の幅方向に調整自在に連結されている請求項１記載の橋梁用足場取付け部材。
【請求項４】
足場板支え梁は吊梁の下部側に高さ方向に調整自在に連結されている請求項１記載の橋梁用足場取付け部材。
【請求項５】
係止横梁の他端部側と連結する吊梁の上部側は上部連結板に溶接により固設され、この上部連結板には吊具孔が形成されている請求項１記載の橋梁用足場取付け部材。
【請求項６】
足場板支え梁の先端側には足場用手摺りの下部を取り付ける手摺り下部取付穴が設けられている請求項１記載の橋梁用足場取付け部材。
【考案の詳細な説明】
【技術分野】
【０００１】
この考案は、既設の橋梁の補修・改修の際に、工事用の足場を取り付けるために使用される橋梁用足場取付け部材に関するものである。
【背景技術】
【０００２】
既設の橋梁の補修・改修の際には工事用の足場が取り付けられる。足場は、例えば、橋梁の下側の土台から金属製パイプを上に向かって立体状に組み立てて骨組を作り、金属製パイプ同士の間に足場板を掛け渡して組み立てられる。
また、橋梁が足場の土台となる下側から高い位置にあり、金属製パイプを橋梁の下側から組み立てて足場を作り難い場合には、橋梁の側端に橋の長さ方向に向けて形成された地覆の上に落下防止のために取り付けられた欄干に、一定の間隔でチェーンを取り付けて吊り、この吊ったチェーン同士の間に足場板を掛け渡して、足場が組み立てられている。
【考案の概要】
【考案が解決しようとする課題】
【０００３】
しかしながら、橋梁の下側から金属製パイプを使って足場を組み立てる作業にあっては、作業員が多数の金属製パイプ同士を金具で連結して組み立てていく必要があり、大変な時間手間が掛かっている。しかも、金属製パイプ同士の連結が不十分である場合にはその骨組が途中で崩壊することもあり、危険を伴う作業であった。
また、橋梁の欄干に取り付けたチェーンで足場板を吊って支える足場にあっては、吊ったチェーンを欄干に動かないようがっちり固定できないため、足場板の上で作業する場合にチェーンが揺動するため、これに吊られている足場板自体もチェーンの揺動に連動して揺動し、作業用の足場が不安定になり、危険を伴う作業であった。
【０００４】
この考案は、上記のような課題に鑑み、その課題を解決すべく創案されたものであって、その目的とするところは、橋梁の側端の地覆に引っ掛けられて係止された吊持梁の下部から外側方に張り出した支持梁同士の間で足場板を支えるようにして、橋梁の側端の外側面に足場を簡単に且つ短時間で取り付けることができ、しかも、取り付けた足場板が作業時に揺動することもない橋梁用足場取付け部材を提供することにある。
【課題を解決するための手段】
【０００５】
以上の課題を達成するために、この考案は、橋梁の側端に橋梁の長さ方向に形成された地覆の上面に引っ掛けられて係止する係止横梁と、係止横梁の一端部側に連結され地覆の内側面に引っ掛けられて係止する係止縦梁と、係止横梁の他端部側から地覆の外側面に吊り下げられる吊梁と、吊梁の下部側から橋梁の外側方に向けて張り出されて足場板を支える足場板支え梁とを少なくとも備えた手段よりなるものである。
【０００６】
ここで、好ましい態様として、係止縦梁は係止横梁の一端部側に高さ方向に調整自在に連結されている。吊梁の上部側は係止横梁の他端部側に地覆の幅方向に調整自在に連結されている。足場板支え梁は吊梁の下部側に高さ方向に調整自在に連結されている。係止横梁の他端部側と連結する吊梁の上部側は上部連結板に溶接により固設され、この上部連結板には吊具孔が形成されている。足場板支え梁の先端側には足場用手摺りの下部を取り付ける手摺り下部取付穴が設けられている。
【考案の効果】
【０００７】
課題を解決するための手段よりなるこの考案に係る橋梁用足場取付け部材によれば、橋梁の側端に橋梁の長さ方向に形成された地覆の上面に引っ掛けられて係止する係止横梁と、係止横梁の一端部側に連結され地覆の内側面に引っ掛けられて係止する係止縦梁と、係止横梁の他端部側から地覆の外側面に吊り下げられる吊梁と、吊梁の下部側から橋梁の外側方に向けて張り出されて足場板を支える足場板支え梁とを少なくとも備えたことにより、橋梁の側端の地覆の外側面に足場を簡単に且つ短時間で取り付けることができ、従来であれば、２日位かかっていた足場組み立て作業を数時間で実現することができ、コストも半分以下で実現することができる。しかも、取り付けた足場板は足場板支え梁を吊る吊梁によって動かないように吊られているので作業時に揺動することもない等、極めて実用的有益なる効果を奏するものである。
【０００８】
また、請求項２の係止縦梁が係止横梁の一端部側に高さ方向に調整自在に連結されている場合には、地覆の内側面の様々な高さに応じて、追従させることができる。
【０００９】
請求項３の吊梁の上部側は係止横梁の他端部側に地覆の幅方向に調整自在に連結されている場合には、地覆の幅の様々な長さに応じて、追従させることができる。
【００１０】
請求項４の足場板支え梁は吊梁の下部側に高さ方向に調整自在に連結されている場合には、地覆の外側方の様々な高さに応じて、追従させることができる。
【００１１】
請求項５の係止横梁の他端部側と連結する吊梁の上部側は上部連結板に溶接により固設され、この上部連結板には吊具孔が形成されている場合には、クレーンの吊りフックを上部連結板には吊具孔に引っ掛けることで、重たい吊梁と足場板支え梁をクレーンなどを使って容易に吊り上げて移動させることができる。
【００１２】
請求項６の足場板支え梁の先端側には足場用手摺りの下部を取り付ける手摺り下部取付穴が設けられている場合には、手摺り下部取付穴を利用して足場用手摺りを簡単に取り付けることができ、作業の安全性を高めることができる。
【図面の簡単な説明】
【００１３】
【図１】この考案を実施するための形態を示す橋梁用足場取付け部材を橋梁の地覆の外側面に設置したときの側面図である。
【図２】この考案を実施するための形態を示す橋梁用足場取付け部材の側面図である。
【図３】この考案を実施するための形態を示す橋梁用足場取付け部材の分解側面図である。
【図４】この考案を実施するための形態を示す橋梁用足場取付け部材を橋梁の地覆の外側面に取り付け時の作業図である。
【考案を実施するための形態】
【００１４】
以下、図面に記載の考案を実施するための形態に基づいて、この考案をより具体的に説明する。
【００１５】
図において、橋梁用足場取付け部材１は、橋梁１０の側端に橋梁１０の長さ方向に形成された地覆１１の上面に引っ掛けられて係止する係止横梁２と、係止横梁２の一端部側に連結され地覆１１の内側面に引っ掛けられて係止する係止縦梁３と、係止横梁２の他端部側から地覆１１の外側面に吊り下げられる吊梁４と、吊梁４の下部側から橋梁１０の外側方に向けて張り出されて足場板５ｄを支える足場板支え梁５とを少なくとも備えた構成からなっている。
【００１６】
上記各橋梁用足場取付け部材１は、橋梁１０の側端に橋梁１０の長さ方向に形成された地覆１１に一定の間隔でその上部側の係止横梁２及び係止縦梁３が引っ掛けられて係止され、係止された上部側から地覆１１の外側面に吊り下げられる吊梁４の下部側から橋梁１０の外側方に向けて張り出される足場板支え梁５同士の間に足場板５ｄを架け渡して、揺動することのない作業用の足場を簡単に作ることができ、叉その解体も容易にできる特徴を有している。
【００１７】
係止横梁２は、橋梁１０の側端に橋梁１０の長さ方向に形成された地覆１１の上面の幅方向に引っ掛けられて係止される部材で、例えば断面コ字型の溝型鋼が使用されている。係止横梁２は、その他端部側に連結された吊梁４を通じて、足場全体にかかる荷重を支える。係止横梁２には上下方向に剪断力が作用し、吊梁４の下部側に生じる曲げモーメントにより橋梁１０の外側方に向けて引張力が作用する。
【００１８】
溝型鋼が使用される係止横梁２はこれらの荷重に耐える断面を有するものが使用される。この係止横梁２で支えられかかる荷重は、地覆１１の上面側に伝えられて支持される。このように係止横梁２は、吊梁４を通じて足場全体に係る荷重を地覆１１の上面側に伝える役目を果たす。
【００１９】
係止横梁２の一端部側には、縦梁連結板２ａが溶接により一体的に取り付けられている。この縦梁連結板２ａには地覆１１の内側面に引っ掛けられて係止される係止縦梁３の上部側がボルト２ｂにより連結されている。縦梁連結板２ａにはボルト２ｂ用の連結孔２ｃが上下方向に例えば２個形成されている。係止縦梁３はこの縦梁連結板２ａを介して係止横梁２の一端側に連結されている。
【００２０】
地覆１１の内側面の高さは橋梁１０によってまちまちであり、高さの相違に追従できるように、係止縦梁３には上下方向に複数の連結孔３ａが形成されていて、複数の連結孔３ａの何れかが、縦梁連結板２ａの連結孔２ｃに対応していて、これによって、係止縦梁３は高さ方向に調整自在になっている。係止縦梁３は、地覆１１の内側面に引っ掛けられることで、係止横梁２が橋梁１０の側端側から外側方に引っ張られて落下するのを防ぐ機能を果たす。この係止縦梁３には、例えば断面コ字型の溝型鋼が使用されている。
【００２１】
また、係止縦梁３を地覆１１の内側面に固定するための固定ボルト３ｂが上下に２個、係止縦梁３に取り付けられている。係止縦梁３にはこの固定ボルト３ｂ用の図示しない固定孔が溝型の両側面にそれぞれ形成されていて、固定ボルト３ｂはこの固定孔を貫通して、その先端が地覆１１の内側面に当接することで、係止縦梁３を地覆１１の内側面に固定して係止している。
【００２２】
係止縦梁３が取り付けられる側と反対側となる係止横梁２の他端部側には、地覆１１の外側面に吊り下げられる吊梁４の上部側が連結されている。ところで、前記と同様に地覆１１の幅は橋梁１０によってまちまちであり、幅の相違に追従できるように、係止横梁２には左右方向に複数の連結孔２ｃが形成されていて、複数の連結孔２ｃの何れかが、吊梁４の後記の連結孔４ｃに対応していて、これによって、吊梁４は地覆１１の幅方向に調整自在になって吊り下げられる。
【００２３】
吊梁４は、足場部分を直に吊り下げて保持するもので、上部側は前記した係止横梁２の他端部側に連結されて吊り下げられている。その下部側には足場板支え梁５が取り付けられている。吊梁４には足場板支え梁５からの足場に加わる荷重が作用するので、これに耐え得る強度が要求され、叉足場板支え梁５の端部側が連結される下部側には曲げモーメントが作用するため、これに抵抗できる曲げ剛性が要求され、例えばこの吊梁４には断面コ字型の溝型鋼が使用されている。
【００２４】
吊梁４の上部側には、係止横梁２の他端部側に連結される上部連結板４ａが溶接などにより一体的に固設されて取り付けられている。上部連結板４ａには鋼板が使用されている。この上部連結板４ａは係止横梁２の他端部側にボルト４ｂにより連結されている。縦梁連結板２ａにはボルト４ｂ用の連結孔４ｃが左右方向に例えば２個形成されている。吊梁４はこの上部連結板４ａを介して係止横梁２の他端側に吊持されて連結されている。
【００２５】
この上部連結板４ａの上部側には吊具孔４ｄが形成されている。吊具孔４ｄは係止横梁２の他端側が連結される部分の上側に形成されている。この吊具孔４ｄは、吊梁４及びその下部側に取り付けられる足場板支え梁５をクレーンなどで吊り下げて、係止横梁２の他端側に連結する場合に利用される。
【００２６】
吊梁４はその下部側に取り付けられた足場板支え梁５は、橋梁１０の外側方に向けて張り出して取り付けられている。吊梁４の下部側に取り付けられる足場板支え梁５の一端側には、吊梁連結板５ａが溶接などにより一体的に固設されて取り付けられている。この吊梁連結板５ａには足場板支え梁５に加わる荷重による曲げモーメントが作用し強度が要求される。吊梁連結板５ａには鋼板が使用されている。
【００２７】
この吊梁連結板５ａは、吊梁４の下部側にボルト５ｂにより連結されている。縦梁連結板２ａにはボルト５ｂ用の連結孔５ｃが上下方向に例えば３個形成されている。足場板支え梁５はこの吊梁連結板５ａを介して吊梁４の下部側から橋梁１０の外側方に向けて張り出した状態で連結されている。
【００２８】
足場板支え梁５は、吊梁連結板５ａを介して吊梁４の下部側に高さ方向に調整自在に連結されている。つまり、橋梁１０の外側面の高さの相違に追従できるように、吊梁４の下部側にはその上下方向に複数の連結孔４ｃが形成されていて、複数の連結孔４ｃの何れかが、吊梁連結板５ａの各連結孔５ｃに対応している。
【００２９】
橋梁１０の外側方に向けて張り出す足場板支え梁５の上には、足場板５ｄが直角方向、つまり、橋梁１０の端部の外側面の長さ方向に沿って取り付けられる。足場板５ｄは一定の間隔で地覆１１の外側面から下向きに取り付けられた各吊梁４の下部側からそれぞれ張り出して取り付けられた足場板支え梁５同士の間に架け渡されて支持される。
【００３０】
足場板支え梁５の先端側には足場用手摺り５ｅの下部を取り付けるための手摺り下部取付穴５ｆが上向きに設けられている。この手摺り下部取付穴５ｆには足場用手摺り５ｅの下部がボルトなどにより連結されている。足場用手摺り５ｅを設けることによって、足場の作業を安全に行うことができる。
【００３１】
橋梁用足場取付け部材１が地覆１１の内側面、上面及び外側面と接する係止縦梁３の接触箇所、係止横梁２の接触箇所、及び吊梁４の接触箇所には、それぞれゴムシート６が取り付けられている。ゴムシート６は、橋梁用足場取付け部材１が地覆１１の各所に当接して、その表面のコンクリート面を破損したり傷つけたりするのを防ぐものである。
【００３２】
次に、上記考案を実施するための形態の構成に基づく橋梁用足場取付け部材の設置作業及びその解体作業について以下説明する。
橋梁用足場取付け部材１の係止横梁２を一定の間隔、例えば１．８ｍの間隔で、橋梁１０の地覆１１の上面に配置する。地覆１１の上面には欄干１２が取り付けられているので、欄干１２の一番下側の横杆と地覆１１の上面との間に係止横梁２を取り付け、係止横梁２の一端側となる地覆１１の内側面に係止縦梁３を上向きに立てる。
【００３３】
それから、地覆１１の内側面の高さに合わせて係止縦梁３を上下にずらし、複数の連結孔３ａの何れかを係止横梁２の一端側に取り付けられた縦梁連結板２ａの連結孔２ｃに合わせ、ボルト２ｂを連結孔２ｃと連結孔３ａに差し込んで挿通させてナットで締め付けて、係止縦梁３を係止横梁２の一端側に連結する。
【００３４】
吊梁４の下部側に足場板支え梁５の一端側の吊梁連結板５ａを取り付け高さを調整しながらボルト５ｂにより連結する。吊梁４の下部側の複数の連結孔４ｃの何れかを吊梁連結板５ａに形成された連結孔５ｃに合わせ、ボルト５ｂを連結孔４ｃと連結孔５ｃに差し込んで挿通させてナットで締め付けて、足場板支え梁５の吊梁連結板５ａを吊梁４の下部側に連結する。
【００３５】
このようにして、吊梁４の下部側に足場板支え梁５を連結させた後、吊梁４の上部側に一体的に取り付けられた上部連結板４ａの吊具孔４ｄにクレーンのフックを引っ掛けて、クレーンで下部側に足場板支え梁５が取り付けられた吊梁４を吊り上げる。それから、橋梁１０の地覆１１の外側面側に移動させ、クレーンの操作により足場板支え梁５が取り付けられた吊梁４を下側にゆっくりと下ろし、吊梁４の上部側の上部枠体２を地覆１１の外側面側に突出している係止横梁２の他端側に近づける。
【００３６】
作業員は橋梁１０の地覆１１の上から、吊梁４の上部連結板４ａの連結孔４ｃと係止横梁２の連結孔２ｃとを合わせ、ボルト２ｂを連結孔４ｃと連結孔２ｃに差し込んで挿通し、ナットで締め付ける。このようにして、係止横梁２の他端側に吊梁４の上部側を連結して吊り下げる。作業員は足場が動かない橋梁１０の地覆１１の上からの作業となるので、安全な作業となる。
【００３７】
このあと、吊梁４を地覆１１の外側面に密着させて動かないようするために、係止縦梁３に固定ボルト３ｂを取り付けて、この先端側を地覆１１の内側面に当接させてこれを締め付けと、係止横梁２及び吊梁４は地覆１１の内側面側に向けて全体移動し、吊梁４の一側面に取り付けたゴムシート６が地覆１１の外側面に密着し、吊梁４は固定されて動かなくなる。この作業を全ての係止横梁２について行う。
【００３８】
このようにして、橋梁用足場取付け部材１を１．８ｍの間隔で、橋梁１０の地覆１１の外側面に取り付けた後、４ｍの長さの足場板５ｄを橋梁用足場取付け部材１の間に架け渡す。４ｍの長さの足場板５ｄは中央と前後両端側の３箇所が橋梁用足場取付け部材１の足場板支え梁５の上に載り支えられる。足場板５ｄの長さ方向の両端側は橋梁用足場取付け部材１の足場板支え梁５からそれぞれ外側に２０ｃｍ程度はみ出す。このはみ出す両端が、それぞれ隣の足場板５ｄと上下で一部重なるようにし、番線でしっかりと縛る。
【００３９】
以上の作業を繰り返しながら、足場板５ｄを橋梁用足場取付け部材１同士の間に架け渡し、足場板支え梁５の先端の手摺り下部取付穴５ｆに足場用手摺り５ｅの各支柱の下端を差し込んで、足場用手摺り５ｅを足場板５ｄの外側に取り付けることによって、足場の取り付け作業は終了する。
【００４０】
足場の解体作業は、足場の取り付け作業の反対の手順で行う。解体作業も橋梁１０の上からの作業なので安全である。
【００４１】
なお、この考案は上記考案を実施するための形態に限定されるものではなく、この考案の精神を逸脱しない範囲で種々の改変をなし得ることは勿論である。
【符号の説明】
【００４２】
１    橋梁用足場取付け部材
２    係止横梁
２ａ  縦梁連結板
２ｂ  ボルト
２ｃ  連結孔
３    係止縦梁
３ａ  連結孔
３ｂ  固定ボルト
４    吊梁
４ａ  上部連結板
４ｂ  ボルト
４ｃ  連結孔
４ｄ  吊具孔
５    足場板支え梁
５ａ  吊梁連結板
５ｂ  ボルト
５ｃ  連結孔
５ｄ  足場板
５ｅ  足場用手摺り
５ｆ  手摺り下部取付穴
６    ゴムシート
１０    橋梁
１１    地覆
１２    欄干
【図１】
0003181041.tif 000003
【図２】
0003181041.tif 000004
【図３】
0003181041.tif 000005
【図４】
0003181041.tif 000006